(57)【要約】【課題】前面側の透明板保持枠を左右どちらにも開くことができ、且つ透明板保持枠の電装品等に対する配線も容易なパチンコ装置の開発を課題とする。【解決手段】本実施形態のパチンコ装置５０は、透明板保持枠５１を、中間枠５２と、前面枠５３の二重構造とし、中間枠５２と前面枠５３とを第２ヒンジ５５ａ，５５ｂで接続して透明板保持枠５１を左右両方向に開くことができる構造とした。パチンコ装置５０では、第１錠５６を施錠状態にすると共に第２錠５７を開錠状態にすることにより、透明板保持枠５１を一端側に設けられた第１ヒンジ６８ａ, ６８ｂを介して開閉することができる。第２錠５７を施錠状態にして第１錠５６を開錠状態にすると、前面枠５３と中間枠５２とが分離可能な状態となるので、透明板保持枠５１の前面枠５３を本体部１側に対して開閉することができる。【選択図】図３
2011235019.tif 000002
【特許請求の範囲】
【請求項１】
遊技盤を含む本体部と、本体部の前面に装着されていて本体部に対して開閉する透明板保持枠とを有する弾球遊技機において、前記透明板保持枠は中間枠と前面枠とを有し、中間枠の一端側と本体部とが第１ヒンジで結合され、中間枠の他端と前面枠とが第２ヒンジで接続され、外部から施開錠可能であって前面枠と中間枠とを結合・離脱する第１錠と、外部から施開錠可能であって中間枠と本体部とを結合・離脱する第２錠を備えたことを特徴とする弾球遊技機。
【請求項２】
本体部と前面枠との間に配線が施されており、当該配線は、中間枠を経由して前面枠に至っていることを特徴とする請求項１に記載の弾球遊技機。
【請求項３】
本体部は遊技盤を含む機構部と、当該機構部を囲む外郭枠とを有し、機構部は外郭枠に対して開閉可能であり、前記第２錠によって機構部は外郭枠とを結合・離脱することが可能であることを特徴とする請求項１又は２に記載の弾球遊技機。
【発明の詳細な説明】
【技術分野】
【０００１】
本発明は、パチンコ装置等の弾球遊技機に関するものであり、特に前面部分がヒンジで接合されていて前面部が開閉可能な弾球遊技機に関するものである。
【背景技術】
【０００２】
大衆娯楽の一つとしてパチンコがある。パチンコは、周知の通り、所定の入賞口を有すると共に多数のクギが打たれた遊技盤を有し、鉄球をバネで弾き上げ、入賞口に鉄球を入れるゲームである。
【０００３】
パチンコは前記した様に多数のクギが打たれた遊技盤を有するため、遊技中にクギの間に鉄球が引っ掛かったり、鉄球がブリッジ状態となって入賞口が詰まる場合がある。また鉄球の発射口に鉄球が詰まることもある。
【０００４】
この様な場合には、パチンコ装置の前面を開いて鉄球を取り除き、詰まり等を解消する。即ちパチンコ装置１００は、図９，１０の様に、本体部１と透明板保持枠２とによって構成されており、上下のヒンジに３ａ，３ｂによって、透明板保持枠２が本体部１に対して開閉可能に支持されている。
【０００５】
より詳細に説明すると、本体部１は、図１０の様に、機構板（機構部）５と外郭枠６によって構成されている。機構板５はクギ（図示せず）や入賞口７が設けられた遊技盤８を前面に有し、制御装置１０等が背面側に設けられた部材である。外郭枠６は、機構板５を囲む枠である。外郭枠６は単なる長方形の枠であり、パチンコ装置１００をパチンコホールに設置する際にパチンコホールの島構成壁に取り付けられるものである。
【０００６】
透明板保持枠２は、ガラス板３０が嵌め込まれた大窓３１と、上皿３２及びハンドル３３等が取り付けられたものである。また透明板保持枠２の上部辺には、電飾３５及びスピーカ３６，３７が設けられている。透明板保持枠２の下部辺にも、電飾３８及びスピーカ４０が設けられている。
【０００７】
ヒンジ３ａ，３ｂは、図９，１０の様に互いに天地逆に取り付けられたものであり、構成部材は同一であるから、代表として上部側のヒンジ３ａの構造を説明する。
ヒンジ３ａは、図１０の様に、機構板５に取り付けられた上部片１１と、外郭枠６に取り付けられた中間片１２と、透明板保持枠２に取り付けられた下部部材１４によって構成されている。
【０００８】
上部片１１は、機構板５の左辺側上端にあり、機構板５の本体部分からやや上部側に立ち上げられ、前面側に突出している。そして先端側が左側にオフセットしている。即ち上部片１１は、図１１の様に、垂直方向に立ち上げられた立ち上げ部１５と、前面側に延びる突出部１６と、左側水平方向に延びるオフセット部１７とを有している。
そしてオフセット部１７から下向きにピン１８が垂下されている。
【０００９】
中間片１２は、外郭枠６の左辺側にあり、外郭枠６の上端からやや下方向に立ち下げられて前面側に突出している。即ち中間片１２は、図１１の様に、垂直下向に立ち下げられた立ち下げ部２０と、前面側の延びる突出部２１を有している。
そして突出部２１には、切り欠き状の孔２２が設けられている。
【００１０】
下部部材１４はブロック状であり、透明板保持枠２の左辺側にあって前面側に突出している。突出部２５には、孔２６が設けられている。
【００１１】
上記した上部片１１、中間片１２及び下部部材１４は、この順に重ねられ、上部片１１に設けられたピン１８が、中間片１２及び下部部材１４に設けられた孔２２，２６に挿通されている。
下側のヒンジ３ｂについても同様である。
従ってパチンコ装置１００では、透明板保持枠２が、上下のピン１８を中心として揺動することができる。
また上部片１１についてもピン１８を中心として揺動することができるので、機構板５についても上下のピン１８を中心として揺動可能である。
【００１２】
パチンコ装置１００では、透明板保持枠２を開閉する錠２７が設けられている。錠２７は、鍵Ｒを挿入して回動するシリンダー部２８と、透明板側錠機構部２９と、機構板側錠機構部３４によって構成されている（図１２）。
シリンダー部２８は、公知のシリンダー錠であり、鍵孔３９を有する。
透明板側錠機構部２９は、前記した透明板保持枠２の裏面側にあって、図示しない透明板側摺動子を有し、透明板保持枠２の前面に設けられた鍵孔３９に鍵Ｒを挿入してシリンダー部２８を回動させることにより、透明板側摺動子を上下にスライドさせることができる。
即ち鍵Ｒを左に回動させると透明板側錠機構部２９の透明板側摺動子が上方にスライドし、鍵Ｒを右に回動させると透明板側錠機構部２９の摺動子が下方にスライドする。
【００１３】
機構板側錠機構部３４は、機構板５に配されており、前面側（透明板側錠機構部２９側）に機構板側摺動子（図示せず）を有している。そして当該機構板側摺動子（図示せず）は前記した透明板側摺動子と係合しており、透明板側摺動子が上方に移動すると機構板側摺動子も上方に移動し、透明板側摺動子が下方に移動すると機構板側摺動子も下方に移動する。
【００１４】
また機構板側錠機構部３４であって、機構板５の前面側（透明板側錠機構部２９側）には、対透明板係合フック４３がある。当該対透明板係合フック４３は、図１２の様に常時は透明板保持枠２の一部と係合している。
一方機構板側錠機構部３４は、機構板５の裏面側に対外郭枠係合フック４５を有している。当該対外郭枠係合フック４５は、図１２の様に常時は外郭枠６の一部４７と係合している。
そして機構板側摺動子（図示せず）が上方にスライドすると、対透明板係合フック４３が連動して上方に移動し、対透明板係合フック４３の係合が解除される。
機構板側摺動子（図示せず）が下方にスライドすると、対外郭枠係合フック４５が連動して下方に移動し、対外郭枠係合フック４５と外郭枠６の一部４７との係合が解除される。
前記した様に、機構板側摺動子はシリンダー部２８の回動と連動して上下動するから、対透明板係合フック４３及び対外郭枠係合フック４５は、鍵Ｒ及びシリンダー部２８の回動と連動して上下動し、それぞれの係合が個別に解除される。
【００１５】
上記したパチンコ装置１００では、図９の様に本体部１に透明板保持枠２が装着された状態で使用される。
より詳細には、外郭枠６の中に機構板５が装着されて本体部１が構成され、本体部１の前面に透明板保持枠２が装着されて使用される。
図９の様に本体部１に透明板保持枠２が装着された状態では、機構板側摺動子（図示せず）が中間位置にあり、対透明板係合フック４３が透明板保持枠２の一部と係合し、対外郭枠係合フック４５が外郭枠６の一部４７と係合して３者を一体化している。
【００１６】
一方、鍵Ｒをシリンダー部２８の鍵孔３９に挿入し、左側に回動して対透明板係合フック４３を上昇させると、対透明板係合フック４３による係合が解除され、図１３の様に透明板保持枠２と本体部１との係合関係が解消される。
従ってクギに鉄球が詰まる等の事態が発生すると、鍵Ｒを左側に回動して対透明板係合フック４３による係合を解除し、透明板保持枠２を左端側のヒンジ３ａ，３ｂを中心に回動させて、透明板保持枠２を開き、遊技盤８を露出させ、手指で鉄球を除去して詰まりを解消することができる。
【００１７】
また制御装置１０側や、パチンコホールの玉供給装置側等に不具合が生じた場合には、鍵Ｒを右側に回動して対外郭枠係合フック４５による係合を解消し、透明板保持枠２及び機構板５を左端側のヒンジ３ａ，３ｂを中心に回動させて、図１４の様に透明板保持枠２及び機構板５の一体性を維持したままの状態で透明板保持枠２及び機構板５を外郭枠６に対して開くこともできる。
【００１８】
この様に従来技術のパチンコ装置は、玉が詰まった様な場合に、透明板保持枠２を左側のヒンジ３ａ，３ｂを中心として左側に開くことができる。
しかし周知の通り、パチンコホールでは、パチンコ装置が隙間なく並べて配置されている。そして玉詰まりが生じたパチンコ装置を中心としてその右隣のパチンコ装置又は左隣のパチンコ装置も使用中であることも珍しくない。ところで、旧来のパチンコ装置１００は、透明板保持枠２は左側にしか開かない。そのため玉詰まりが生じたパチンコ装置１００の玉詰まりを解消するためには、図１５の様に、パチンコホールの従業員が透明板保持枠２を左側に開いて玉詰まりを解消する。そのため、透明板保持枠２が開放される右側のパチンコ装置１００を使用している遊技者に迷惑がかかる。
【００１９】
また、パチンコ装置１００は、遊技盤８に所定の方向に向けられて設けられた図示しないクギが、遊技による玉の衝突等で徐々に方向変更されるため、定期的にクギ調整が必要である。そこで、透明板保持枠２を左側に開いて、クギ調整することが考えられる。しかしながら、クギ調整はハンマー等でクギを叩いて行うため、ヒンジ部分においては透明板保持枠２が障害となり作業効率が低下する。そのため、通常、クギ調整は、作業効率の観点から、予め透明板保持枠２のガラス板３０を外した状態にしてから行う。これにより、クギ調整の作業効率は低下することはないが、ガラス板３０の脱着作業の手間が増え、メンテナンス全体の作業効率としてみると良くない。さらに、ガラス板３０の脱着により、ガラス板３０が割れてしまうという懸念があった。
【００２０】
この問題を解消する方策の一つとして、特許文献１に開示されたパチンコ装置１００がある。
特許文献１に開示されたパチンコ装置では、透明板保持枠を右側にも左側にも開くことができる。
【先行技術文献】
【特許文献】
【００２１】
【特許文献１】特開平１１−１３７８０６号
【発明の概要】
【発明が解決しようとする課題】
【００２２】
特許文献１に開示された発明は、前記した様に透明板保持枠を左右いずれの方向にも開くことができる。
しかしながら、昨今、一般に市販されている構造のパチンコ装置には、特許文献１の構造を採用しがたい。
即ち昨今のパチンコ装置は、遊びごころをくすぐる演出として、効果音や光による装飾が行われる。そしてより臨場感を盛り上げるために、スピーカや電飾装置が透明板保持枠に取り付けられている。
例えば前記したパチンコ装置１００では、透明板保持枠２の上辺と下辺に電飾３５，３８やスピーカ３６，３７，４０が設けられている。
そして電飾３５，３８やスピーカ３６，３７，４０の制御は、機構板５の制御装置１０によって制御される。また電飾３５，３８やスピーカ３６，３７，４０に電力を供給しなければならない。
そのため本体部１の機構板５と、透明板保持枠２との間には、多数の信号線や動力線が配線される必要がある。
【００２３】
ところが特許文献１に開示された様な方策によって透明板保持枠２を左右いずれの方向にも開くことができる構造とすると、本体部１の機構板５と、透明板保持枠２との間の配線接続が困難となる。
例えば図９に示すパチンコ装置１００では、透明板保持枠２と機構板５とは互いの左辺４１同士の間に渡り配線がなされている。即ち透明板保持枠２は左辺４１を中心として揺動するから、透明板保持枠２の左辺と機構板５の左辺との間の距離は、透明板保持枠２の揺動角度に係わりなく一定である。そのため図９に示すパチンコ装置１００では、渡り配線が透明板保持枠２を開閉する際の妨げにならない。
【００２４】
しかしながら、特許文献１に開示された様に、透明板保持枠２を右側からでも左側からでも開くことができる構成とすると、透明板保持枠２の開閉角度によって透明板保持枠２の左辺又は右辺と、機構板５の左辺又は右辺の距離が変わってしまう。そのためいずれか一方の方向に開く際には、渡り配線が邪魔になってしまう。
【００２５】
そこで本発明は、前面側の透明板保持枠を左右どちらにも開くことができ、且つ透明板保持枠の電装品等に対する配線も容易な弾球遊技機を開発することを課題とする。
【課題を解決するための手段】
【００２６】
上記した課題を解決するための請求項１に記載の発明は、遊技盤を含む本体部と、本体部の前面に装着されていて本体部に対して開閉する透明板保持枠とを有する弾球遊技機において、前記透明板保持枠は中間枠と前面枠とを有し、中間枠の一端側と本体部とが第１ヒンジで結合され、中間枠の他端と前面枠とが第２ヒンジで接続され、外部から施開錠可能であって前面枠と中間枠とを結合・離脱する第１錠と、外部から施開錠可能であって中間枠と本体部とを結合・離脱する第２錠を備えたことを特徴とする弾球遊技機である。
【００２７】
本発明の弾球遊技機は、透明板保持枠が中間枠と前面枠とによって構成されている。また外部から施開錠可能であって前面枠と中間枠とを結合・離脱する第１錠を有している。そのため第１錠を施錠状態にすると、前面枠と中間枠とが一体化される。一方、本発明の弾球遊技機は、外部から施開錠可能であって中間枠と本体部とを結合・離脱する第２錠を備えている。第２錠を開錠状態にすると、中間枠と本体部との結合が解除される。
【００２８】
また中間枠の一端側と本体部とが第１ヒンジで結合されている。そのため前記した様に第１錠を施錠状態にすると共に第２錠を開錠状態にすると、前面枠と中間枠とが一体化されると共に中間枠と本体部との係合が解除されるから、前面枠と中間枠は第１ヒンジを介して一体的に揺動することができる。そのため本発明の弾球遊技機では、第１錠を施錠状態にすると共に第２錠を開錠状態にすることにより、透明板保持枠を一端側に設けられた第１ヒンジを介して開閉することができる。
【００２９】
逆に、第１錠を開錠状態にすると、前面枠と中間枠とが分離可能な状態となる。一方、第２錠を施錠状態にすると、中間枠と本体部とが結合されて中間枠が本体部側に固定される。そのため透明板保持枠の前面枠を本体部側（正確には本体部と中間枠との結合物）に対して開閉することができる。
また前記した第１ヒンジは中間枠の一端側に設けられ、第２ヒンジは中間枠の他端側に設けられているから、透明板保持枠を実質的に左右どちらの方向にも開閉することができる。
さらに機構部と前面枠とは、中間枠によって常時繋がっているから、中間枠を介して機構部と前面枠とを配線接続することができる。
また、本発明によれば、クギ調整の際に、作業の邪魔になる例えばガラス板等を外す必要がないため、メンテナンス等の作業効率が低下することがない。
【００３０】
請求項２に記載の発明は、本体部と前面枠との間に配線が施されており、当該配線は、中間枠を経由して前面枠に至っていることを特徴とする請求項１に記載の弾球遊技機である。
【００３１】
本発明の弾球遊技機では、中間枠を経由して前面枠に配線するものであるから、開閉に際して配線が邪魔にならない。
【００３２】
請求項３に記載の発明は、本体部は遊技盤を含む機構部と、当該機構部を囲む外郭枠とを有し、機構部は外郭枠に対して開閉可能であり、前記第２錠によって機構部は外郭枠とを結合・離脱することが可能であることを特徴とする請求項１又は２に記載の弾球遊技機である。
【００３３】
本発明の弾球遊技機は、従来のそれと同様に、機構部を外郭枠に対して開閉することができ、メンテナンスが容易である。
【発明の効果】
【００３４】
本発明の弾球遊技機は、透明板保持枠を左右どちらにも開くことができ、且つ透明板保持枠の電装品に対する配線も容易である。
【図面の簡単な説明】
【００３５】
【図１】本発明の実施形態の弾球遊技機の斜視図である。
【図２】図１の弾球遊技機の分解斜視図である。
【図３】透明板保持枠を右側に開いた状態を示す斜視図である。
【図４】図２における中間枠の下部側を示すＡ方向矢視図である。
【図５】図１の弾球遊技機の外郭枠と、機構板と、中間枠と、前面枠と第１錠及び第２錠の位置関係を概念的に図示した平面図であり、弾球遊技機の使用時の状態を示す。
【図６】図１の弾球遊技機の外郭枠と、機構板と、中間枠と、前面枠と第１錠及び第２錠の位置関係を概念的に図示した平面図であり、透明板保持枠を左側に開いた場合の状態を示す。
【図７】図１の弾球遊技機の外郭枠と、機構板と、中間枠と、前面枠と第１錠及び第２錠の位置関係を概念的に図示した平面図であり、透明板保持枠を右側に開いた場合の状態を示す。
【図８】図１の弾球遊技機の外郭枠と、機構板と、中間枠と、前面枠と第１錠及び第２錠の位置関係を概念的に図示した平面図であり、機構板を開いた場合の状態を示す。
【図９】従来技術の弾球遊技機の斜視図である。
【図１０】図９の弾球遊技機の分解斜視図である。
【図１１】図９の弾球遊技機のヒンジの分解斜視図である。
【図１２】図９の弾球遊技機の外郭枠と、機構板と、透明板保持枠の位置関係を概念的に図示した平面図であり、弾球遊技機の使用時の状態を示す。
【図１３】図９の弾球遊技機の外郭枠と、機構板と、透明板保持枠の位置関係を概念的に図示した平面図であり、透明板保持枠を開いた場合の状態を示す。
【図１４】図９の弾球遊技機の外郭枠と、機構板と、透明板保持枠の位置関係を概念的に図示した平面図であり、機構板を開いた場合の状態を示す。
【図１５】パチンコホールにおいて図９の弾球遊技機の玉詰まりを解消する状況を示した説明図である。
【発明を実施するための形態】
【００３６】
以下さらに本発明の実施形態について説明する。
本実施形態のパチンコ装置５０は、透明板保持枠５１を、中間枠５２と、前面枠５３の二重構造とし、中間枠５２と前面枠５３とを第２ヒンジ５５ａ，５５ｂで接続して透明板保持枠５１を左右両方向に開くことができる構造としたものである。
本実施形態のパチンコ装置５０は、前記した透明板保持枠５１を二重構造とした点と、中間枠５２と、前面枠５３の間に第２ヒンジ５５ａ，５５ｂを設けた点、第１錠５６及び第２錠５７を設けた点等を除いて従来技術のパチンコ装置１００と略同一の構造である。そのため同一の部材には同一の番号を付し、重複した部材の説明は簡略なものに止める。
【００３７】
本実施形態のパチンコ装置５０では、本体部１は、図１，２の様に、機構板（機構部）５と外郭枠６によって構成されている。機構板５はクギ（図示せず）や入賞口７が設けられた遊技盤８を前面に有し、制御装置１０等が背面側に設けられた部材である。外郭枠６は、機構板５を囲む枠である。外郭枠６は単なる長方形の枠であるといえる。
【００３８】
本実施形態のパチンコ装置５０では、透明板保持枠５１が、中間枠５２と、前面枠５３の二重構造となっている。
ここで前面枠５３の外観形状は、従来技術の透明板保持枠２と同一であり、ガラス板３０が嵌め込まれた大窓３１と、上皿３２及びハンドル３３が取り付けられたものである。また透明板保持枠２の上部辺には、電飾３５及びスピーカ３６，３７が設けられている。透明板保持枠２の下部辺にも、電飾３８及びスピーカ４０が設けられている。
【００３９】
前面枠５３には、左右に鍵挿入用の孔６０，６１が設けられている。
左側の孔６０には、第１錠５６のシリンダー部７５が装着固定されている。これに対して右側の孔６１は、図５乃至図８に示すように、素通しの孔（ばか孔）であり、前面枠５３に設けられた第２錠５７に鍵Ｒを挿入する際に挿通する孔である。
【００４０】
中間枠５２は、図２に示す様な長方形の枠であり、中間部が大きく開口している。即ち中間枠５２には大きな開口６４がある。中間枠５２の厚みは薄い。また、中間枠５２の下部側には、図３，４の様に、制御装置１０等と電気的に接続された電線及び信号線が配線される配線溝４９及び貫通孔５４が設けられている。配線溝４９は、図１の状態を基準に、機構板５側に開口された溝で、貫通孔５４は、配線溝４９と連通し前面枠５３側に配置されている。なお、配線溝４９には、図４の様に電気線及び信号線が配線溝４９から脱落しないように脱落防止部材５９が配されている。
【００４１】
本実施形態のパチンコ装置５０では、中間枠５２と本体部１との間に第１ヒンジ６８ａ，６８ｂが設けられている。
第１ヒンジ６８ａ，６８ｂの構造は、従来技術のそれと略同一である。第１ヒンジ６８ａ，６８ｂは、互いに天地逆に取り付けられたものであり、機構板５に取り付けられた上部片１１と、外郭枠６に取り付けられた中間片１２と、透明板保持枠５１の中間枠５２に設けられた軸挿通孔７２によって構成されている。
上記の内、上部片１１と、中間片１２は、従来技術のそれと同一である。即ち上部片１１は、機構板５の左辺側上端にあり、立ち上げ部１５と、前面側に延びる突出部１６と、左側水平方向に延びるオフセット部１７とを有している。そしてオフセット部１７から下向きにピン１８が垂下されている。
中間片１２は、中間片１２は、外郭枠６の左辺側にあり、立ち下げ部２０と、前面側の延びる突出部２１を有している。
【００４２】
軸挿通孔７２は中間枠５２に直接的に設けられた孔である。
上記した上部片１１、中間片１２及び軸挿通孔７２は、この順に重ねられ、上部片１１に設けられたピン１８が、中間片１２の孔２２及び軸挿通孔７２に挿通されている。
下側の第１ヒンジ６８ｂについても同様である。
従ってパチンコ装置５０では、中間枠５２が、上下のピン１８を中心として揺動することができる。
【００４３】
この様に本実施形態のパチンコ装置５０では、中間枠５２と本体部１との間に第１ヒンジ６８ａ，６８ｂが設けられているので、中間枠５２がピン１８を中心として揺動することができる。
【００４４】
また本実施形態のパチンコ装置５０では、中間枠５２の右辺側に、第２ヒンジ５５ａ，５５ｂが取り付けられ、第２ヒンジ５５ａ，５５ｂによって中間枠５２の右辺側と、前面枠５３の右辺側が接続されている。
【００４５】
第２ヒンジ５５ａ，５５ｂについても、互いに天地逆に取り付けられたものであり、構成部材は略同一であるから、代表として上部側のヒンジ５５ａの構造を説明する。
第２ヒンジ５５ａは、図２の様に、中間枠５２に右辺上端に取付けられた張出片７３と、前面枠５３の右辺上端に設けられた凹孔部材７６によって構成されている。
そして張出片７３には、下向きにピン７４が垂下されており、凹孔部材７６の孔７７に当該ピン７４が挿入されている。
そのため、前面枠５３は中間枠５２に対して右開き方向に開閉することができる。
【００４６】
本実施形態のパチンコ装置５０では、前面の電飾３５，３８やスピーカ３６，３７等への配線が、中間枠５２を経由して行われている。
即ち図２の矢印の様に、本体部１側の機構板５における下部側の上部片１１近傍から、中間枠５２の下部の辺７０に配線され、第２ヒンジ５５ｂ側を経由して、前面枠５３に配線がなされている。より具体的には、中間枠５２に配線された電線及び信号線は、配線溝４９に配され、貫通孔５４を介して前面枠５３側に配線されている。
【００４７】
次に、第１錠５６及び第２錠５７について説明する。
第１錠５６は、図５乃至図８の様に、外部から施開錠可能であって前面枠５３と中間枠５２とを結合・離脱するものである。即ち第１錠５６は、図５の様にシリンダー部７５が前面枠５３に固定されている。そして第１錠５６のシリンダー部７５の鍵穴７１があり、外から鍵穴７１に鍵Ｒを挿入してシリンダー部７５を回動することができる。
本実施形態では、第１錠５６は、パチンコ装置５０の左側（第１ヒンジ６８ａ，６８ｂ）側の位置にあり、前記した様にその本体部たるシリンダー部７５が前面枠５３に固定されている。また第１錠５６は、シリンダー部７５の先端部に図５の様な係合子６２を有し、当該係合子６２が中間枠５２の係合部６３と係合する。従って鍵穴７１に鍵Ｒを挿入し、鍵Ｒを回動することにより係合子６２が回転し、中間枠５２の係合部６３と係合・離脱することができる。
【００４８】
また第２錠５７は、図５の様にその錠の本体部が中間枠５２の右辺側に取り付けられている。第２錠５７は、外部から施開錠可能であって中間枠５２と本体部１とを結合・離脱するものである。
本実施形態では、第２錠５７の構造は、前記した従来技術の錠２７と同一である。具体的には、第２錠５７は、鍵Ｒを挿入して回動するシリンダー部２８と、透明板側錠機構部２９と、機構板側錠機構部３４によって構成されている。
なお本実施形態では、透明板保持枠５１（前面枠５３）の前面に設けられた孔（ばか孔）６１から鍵Ｒを挿入してシリンダー部２８の鍵孔３９に鍵Ｒを係合され、第２錠５７を回動させることとなる。
【００４９】
透明板側錠機構部２９は、中間枠５２の裏面側にあって、図示しない透明板側摺動子を有し、鍵Ｒを左に回動させると透明板側錠機構部２９の透明板側摺動子が上方にスライドし、鍵Ｒを右に回動させると透明板側錠機構部２９の摺動子が下方にスライドする。
【００５０】
機構板側錠機構部３４は、機構板５に配されており、前面側（中間枠５２側）に機構板側摺動子（図示せず）を有している。そして当該機構板側摺動子（図示せず）は前記した透明板側摺動子と係合しており、透明板側摺動子が上方に移動すると機構板側摺動子も上方に移動し、透明板側摺動子が下方に移動すると機構板側摺動子も下方に移動する。
【００５１】
また機構板側錠機構部３４であって、機構板５の前面側（中間枠５２側）には、対透明板係合フック４３がある。当該対透明板係合フック４３は、図５の様に常時は透明板保持枠２の一部と係合している。
一方機構板側錠機構部３４は、機構板５の裏面側に対外郭枠係合フック４５を有している。当該対外郭枠係合フック４５は、図５の様に常時は外郭枠６の一部４７と係合している。
そして機構板側摺動子（図示せず）が上方にスライドすると、対透明板係合フック４３が連動して上方に移動し、対透明板係合フック４３の係合が解除される。
機構板側摺動子（図示せず）が下方にスライドすると、対外郭枠係合フック４５が連動して下方に移動し、対外郭枠係合フック４５と外郭枠６の一部４７との係合が解除される。
前記した様に、機構板側摺動子はシリンダー部２８の回動と連動して上下動するから、対透明板係合フック４３及び対外郭枠係合フック４５は、鍵Ｒ及びシリンダー部２８の回動と連動して上下動し、それぞれの係合が個別に解除される。
【００５２】
上記したパチンコ装置５０では、図１、図５の様に本体部１に透明板保持枠５１が装着された状態で使用される。
より詳細には、前面枠５３と中間枠５２とが第１錠５６で一体に結合されて透明板保持枠５１が構成されている。また外郭枠６の中に機構板５が装着されて本体部１が構成され、本体部１の前面に透明板保持枠５１が装着されて使用される。
図１の様に本体部１に透明板保持枠５１が装着された状態では、第２錠５７の機構板側摺動子（図示せず）が中間位置にあり、対透明板係合フック４３が透明板保持枠５１の一部たる中間枠５２と係合し、対外郭枠係合フック４５が外郭枠６の一部４７と係合して３者を一体化している。
【００５３】
一方、前面枠５３の前面に設けられた孔（ばか孔）６１から鍵Ｒを第２錠５７のシリンダー部２８の鍵孔３９に挿入し、鍵Ｒを左側に回動して対透明板係合フック４３を上昇させると対透明板係合フック４３による係合が解除され、透明板保持枠（前面枠５３と中間枠５２との結合体）５１と本体部１との係合関係が解消される。なおこの際、第２錠５７の係合は解除されたが、第１錠５６の係合は維持されているから、前面枠５３と中間枠５２とは一体化された状態を維持している。
第２錠５７の鍵孔３９に挿入した鍵Ｒを左側に回動して対透明板係合フック４３による係合を解除すると、透明板保持枠５１を左端側の第１ヒンジ６８ａ，６８ｂを中心に回動させて、透明板保持枠（前面枠５３と中間枠５２との結合体）５１を開くことができる。即ち透明板保持枠２を図６の様に左開きに開くことができる。
【００５４】
ここで前記した様に配線は、透明板保持枠（前面枠５３と中間枠５２との結合体）５１に引き回されているから、透明板保持枠５１を左端側の第１ヒンジ６８ａ，６８ｂを中心として揺動しても、渡り部分の距離は変わらない。そのため配線が切れたり、邪魔になることはない。
【００５５】
また前面枠５３の左側に露出した第１錠５６の鍵孔７１に鍵Ｒを挿入し、鍵Ｒを所定の方向に回動すると、係合子６２が回転し、中間枠５２の係合部６３との係合が解除される。
一方、前記した第２錠５７は、係合を維持しており、対透明板係合フック４３が中間枠５２と係合しているから、中間枠５２は第１ヒンジ６８ａ，６８ｂと、第２錠５７の対透明板係合フック４３によって左右の辺が本体部１側に固定されている。また第２錠５７は、前面枠５３と中間枠５２とを結合するものではない。
従って第１錠５６を開錠して透明板保持枠５１を開くと、前面枠５３だけが第２ヒンジ５５ａ，５５ｂを中心として右開き方向に揺動する。その結果、図７の様に前面枠５３だけが開き、中間枠５２は本体部１側に残る。
しかしながら、中間枠５２は、単なる枠であって中間部に大きな開口６４があるから、前面枠５３を開くことによって遊技盤８が露出する。従って本発明のパチンコ装置５０は、前面側を左右のどちらにも開くことができる。
【００５６】
この際、前記した様に配線は、中間枠５２における第２ヒンジ５５ｂ側を経由して前面枠５３に引き回されているから、前面枠５３を右端側の第２ヒンジ５５ａ，５５ｂを中心として回動しても、渡り部分の距離は変わらない。そのため配線が切れたり、邪魔になることはない。
【００５７】
また制御装置１０側や、パチンコホールの玉供給装置側等に不具合が生じた場合には、第２錠５７に挿入した鍵Ｒを右側に回動して対外郭枠係合フック４５による係合を解消し、透明板保持枠５１及び機構板５を左端側のヒンジ６８ａ，６８ｂを中心に回動させて、図８の様に透明板保持枠５１及び機構板５の一体性を維持したままの状態で透明板保持枠５１及び機構板５を外郭枠６に対して開くこともできる。
【００５８】
以上説明した実施形態では、本体部１等に対して前面枠５３等を左側に開く際に前面枠５３と中間枠５２が一体的に揺動し、前面枠５３等を右側に開く際に前面枠５３が単独で揺動する構造としたが、もちろん逆であってもよい。
【００５９】
また前記した実施形態では、配線を中間枠５２の下部の辺７０に配置したが、上部の辺やその他の部位に配してもよい。
【符号の説明】
【００６０】
１    本体部
５    機構板（機構部）
６    外郭枠
８    遊技盤
１０    制御装置
５０    パチンコ装置（弾球遊技機）
５１    透明板保持枠
５２    中間枠
５３    前面枠
５５ａ，５５ｂ    第２ヒンジ
５６    第１錠
５７    第２錠
６８ａ，６８ｂ    第１ヒンジ
【図１】
2011235019.tif 000003
【図２】
2011235019.tif 000004
【図３】
2011235019.tif 000005
【図４】
2011235019.tif 000006
【図５】
2011235019.tif 000007
【図６】
2011235019.tif 000008
【図７】
2011235019.tif 000009
【図８】
2011235019.tif 000010
【図９】
2011235019.tif 000011
【図１０】
2011235019.tif 000012
【図１１】
2011235019.tif 000013
【図１２】
2011235019.tif 000014
【図１３】
2011235019.tif 000015
【図１４】
2011235019.tif 000016
【図１５】
2011235019.tif 000017